(57)【特許請求の範囲】
【請求項１】
色の色相と明度と彩度から成る色情報を複数個持つ色立体を記憶する記憶部と、入力部と、表示部と、制御部を備え、前記入力部の明度キーの入力に応じて、前記制御部は前記表示部に、前記明度を所定値とする前記色立体の断面を斜視した図を含む前記色立体を表示させ、前記入力部に彩度キーを設け、前記彩度キーの入力に応じて、前記斜視図の所定点の彩度が指定され、前記明度キーおよび前記彩度キーの入力位置に応じて、各々、明度および彩度が表示される事を特徴とする表示装置。
【請求項２】
前記入力部に色相キーを設け、前記色相キーの入力に応じて、前記斜視図の色相の位置が指定される事を特徴とする請求項１の表示装置。
【請求項３】
色の色相と明度と彩度からなる色情報を各々、複数個持つ第１色立体および第２色立体を記憶する記憶部と、入力部と、表示部と、制御部とを備え、前記入力部が１側又は他側に入力されるのに応じて、前記制御部は前記表示部に各々、明度を所定値とする前記第１色立体又は前記第２色立体の断面を斜視した図を表示させる事を特徴とする表示装置。
【請求項４】
前記第１色立体から前記第２色立体へ変更して入力されると、前記第１色立体の斜視図に於いて選択された第１点が、前記第２色立体の斜視図に於いて、前記第１点に対応する第２点として表示される事を特徴とする請求項３の表示装置。
【発明の詳細な説明】
【０００１】
【発明の属する技術分野】
本発明は表示装置に関する。
【０００２】
【従来の技術】
従来、この種の装置は例えば特開昭６３−１７０６９号公報に示されている。この公報によると、表示部上に、原色を示す複数の表示個所を設け、所定の色を混合して求め、求めた色を表示個所に示し、上記色にて表示部上の画面に色づけしていた。
【０００３】
【発明が解決しようとする課題】
上述の様に上記装置では、試行錯誤で色を作成するため、操作に手間がかかる第１の欠点がある。この欠点を解決するために、本発明者は、表示部上に、明度を所定値とする色立体の断面図を表示させ、マウス等により、断面上の所定点を入力し、所定の色を指定する事を試みた。
【０００４】
しかし、表示されるのは各断面図であり、該断面図が色立体のどの部分かが分からない（表示色の全体像が理解できない）第２の欠点がある。故に、本発明は上記従来の欠点を考慮して、色を指定する操作が容易な、かつ断面図が色立体のどの部分かが分かり易い表示装置を提供する。
【０００５】
【課題を解決するための手段】
上記課題を解決するために、請求項１の本発明では、色の色相と明度と彩度から成る色情報を複数個持つ色立体を記憶する記憶部と、入力部と、表示部と、制御部を備え、前記入力部の明度キーの入力に応じて、前記制御部は前記表示部に、前記明度を所定値とする前記色立体の断面を斜視した図を含む前記色立体を表示させ、前記入力部に彩度キーを設け、前記彩度キーの入力に応じて、前記斜視図の所定点の彩度が指定され、前記明度キーおよび前記彩度キーの入力位置に応じて、各々、明度および彩度が表示される。
【０００６】
請求項２の本発明では、前記入力部に色相キーを設け、前記色相キーの入力に応じて、前記斜視図の色相の位置が指定される。
【０００７】
請求項３の本発明では、色の色相と明度と彩度からなる色情報を各々、複数個持つ第１色立体および第２色立体を記憶する記憶部と、入力部と、表示部と、制御部とを備え、前記入力部が１側又は他側に入力されるのに応じて、前記制御部は前記表示部に各々、明度を所定値とする前記第１色立体又は前記第２色立体の断面を斜視した図を表示させる。
【０００８】
請求項４の本発明では、前記第１色立体から前記第２色立体へ変更して入力されると、前記第１色立体の斜視図に於いて選択された第１点が、前記第２色立体の斜視図に於いて前記第１点に対応する第２点として表示される。
【００１２】
【発明の実施の形態】
以下に本発明の基礎となる色立体１を図１と図２に従い説明する。図１に示した色立体１は、例えばマンセル色立体である。色立体１は、色の色相２と明度３と彩度４の３要素から成る色情報（例えば鮮赤５等）が複数個、立体状に集められたものである。即ち、色相２は周方向の要素であり、明度３は縦軸方向の要素であり、彩度４は半径方向の要素である。
【００１３】
次に、本発明の実施の形態１に係る表示装置６を、図３のブロック図に従い説明する。図３に於いて、表示部７は例えば液晶表示装置であり、ＣＲＴ表示装置等でも構わない。入力部８は例えば、マウス等のポインティングデバイスと、明度キー（後述）等から成る。
【００１４】
制御部９は例えばＭＰＵ（マイクロプロセッサユニット）から成り、ＲＯＭ１０に記憶された制御プログラムにより、各部品を制御する。ＲＯＭ１０はまた、色立体を構成する、色の色相と明度と彩度から成る色情報を複数個、記憶している。色立体は例えばオストクルト色立体である。
【００１５】
記憶部１０はＲＯＭ１０とＲＡＭ１２等から成り、制御部に接続されている。画像制御部１３は例えばゲートアレー等から成り、入力側は制御部９に接続され出力側は表示部７に接続されている。
【００１６】
外部記憶部１４は例えば、画像ソフト等が記憶されたＣＤ−ＲＯＭと、それを読み書きするドライバ等から成る。外部記憶部１４は制御部９に接続され、入力部８は制御部９に接続されている。以上の部品により、表示装置６が構成されている。
【００１７】
次に、図３と、図４のフローチャートと、図５、図６、図７の表示画面に従い表示装置６の動作を説明する。これらの図に於いて、使用者が表示装置６の電源スイッチ（図示せず）を入れる事により、動作が開始する。
【００１８】
制御部９は表示部７に、初期斜視図を表示させる（図４のＳ１）。即ち、制御部９は記憶部１１内に記憶された、明度を固定値（例えば５０）として、色立体を断面した時の複数色情報（外形は略円形）を取出す。そして制御部９は、上記断面図が斜視した図面（外形は略楕円）になる様に、画情報をデータに加工し、該データを画像制御部１３を介して、表示部７へ出力する。その結果、表示部７では、明度を固定値として、色立体の断面を斜視（例えば垂直軸より６５度傾いた軸から見る）した初期斜視図１５が見える（図５参照）。
【００１９】
次に使用者は初期斜視図１５に於いて、自分が望む色がないと判断すれば、表示部７に表示された明度キー１６を、マウス等により、上方に移動させる。この時、制御部９は明度キー１６が入力されたか否かを肯定し（Ｓ２）、変更斜視図１７を表示させる（図４のＳ１と図６を参照）。
【００２０】
この変更斜視図１７は、明度を所定値（例えば３５であり、明度キー１６の高さ位置により決まる）とする色立体の断面を斜視した図である。この時、色立体１８の斜視図も表示される。即ち、制御部９は表示部７に、明度を所定値とする色立体の断面を斜視した図（変更斜視図１７）を含む色立体の図１８を表示させる。
【００２１】
そして使用者は変更斜視図１７に於いて、自分が望む色がないと判断すれば、表紙部７に設けられた「確定」キーを押さない。その結果、制御部９は明度はＯＫかの判定を否定し（Ｓ４）、Ｓ２の直前へ戻る。
【００２２】
次に使用者は、マウス等により、明度キー１６を下方に移動させる（図７を参照）。その結果、制御部９は、明度キーを入力か否かの判定を肯定し（Ｓ２）、変更斜視図１９を表示させる（図４のＳ３と図７を参照）。
【００２３】
上記変更斜視図１９は、明度を所定値（例えば８０）とする色立体の断面を斜視した図である。即ち、制御部９は表示部７に、明度を所定値とする色立体の断面を斜視した図（変更斜視図１９）を含む色立体の図（斜視図１８）を表示させる。
【００２４】
この様に、色立体の図１８と共に、変更斜視図１９を表示させるので、使用者は上記変更斜視図１９が、色立体のどの部分かを理解し易い。また、変更斜視図１９は断面図を斜視したものであるので、比較的面積が小さく、変更斜視図１９が色立体の図１８に占める部分は小さい。故に、色立体の図１８を全体的に見る事が出来る。
【００２５】
そして、使用者は変更斜視図１９に於いて、自分が望む色が有ると判断すれば表示部７に設けられた確定キー（図示せず）を押す。その結果、制御部９は、明度はＯＫかの判定を肯定する（Ｓ４）。
【００２６】
次に、使用者は所定点Ａ（自分が望む色が位置する点）を、マウスのポインタに合せてクリックする。その結果、制御部９は、所定点を入力か否かの判定を肯定する（Ｓ５）。そして制御部９は、所定点Ａに対応する色情報（色相が灰、明度が８０、彩度が例えば５０）を指定し、前記色情報を特定するアドレスと共に前記色情報を記憶部１１に記憶させる（Ｓ６）。この様に、入力部８に於いて、変更斜視図１９の所定点Ａが入力されると、制御部９は、所定点Ａに対応する色情報を指定する。
【００２７】
次に、本発明の実施の形態２に係る表示装置２０に用いられる表示部２１に於ける、表示例を図８に従い説明する。図８に於いて、明度キー１６は明度が例えば５０となる位置に設定（入力）されている。そして、明度を所定値（例えば５０）とする色立体の断面を斜視した図（変更斜視図２２）を含む色立体の図（斜視図）１８が、表示部２１上に表示されている。
【００２８】
上述の様に、明度キー１６の入力位置（明度が５０となる位置）に応じて、明度キー１６には、５０「明度を示す数字」が表示される。また、彩度キー２３は表示部２１上に表示され、入力部８を構成する。彩度キー２３の入力（左右のどの位置にあるかという事）に応じて、所定点Ｃの彩度（例えば７０）が指定される。また、彩度キー２３の入力位置に応じて、彩度キー２３には７０「彩度を示す数字」が表示される。
【００２９】
この彩度７０は変更斜視図２２の中心点Ｂから、所定点Ｃまでの距離（度合）を示す。また、表示部２１には、色相表示部２４が設けられている。色相表示部２４は例えば色相「１２０」が表示されている。この色相「１２０」は、基点Ｄから所定点Ｃまでの角度、即ち角度ＤＢＣが１２０度である事を示す。この様に明度キー１６にて明度を数字表示し、彩度キー２３にて彩度を数字表示する事により、明度および彩度を細かく、正確に設定（入力）する事ができる。
【００３０】
次に、本発明の実施の形態３に係る表示装置２５に用いられる表示部２６に於ける表示例を図９に従い説明する。図９に於いて明度を所定値（例えば５０）とする色立体の断面を斜視した図（変更斜視図２２）を含む色立体の図（斜視図）１８が、表示部２６上に表示されている。
【００３１】
色相キー２７は表示部２６上に表示され、入力部８を構成する。色相キー２７は例えば、赤、朱、黄、緑、青、紫が各々、選択（入力）できる様に構成されている。使用者が例えば、色相キー２７に於いて、「紫」を入力すると、変更斜視図２２に於いて、基準点Ｅ（例えば、手前に位置する最下点）が「紫」になる様に色相が回転し、位置合せされる。
【００３２】
この様に、入力部８に色相キー２７を設け、色相キー２７の入力（例えば紫を選択し入力する）に応じて、斜視図２２の色相の位置が指定される（例えば、基準点Ｅが紫になる様に配置される）。この様に、所定の色相を基準点Ｅになる様に色相を配置する事により、使用者は、自分が最も使い易い変更斜視図２２を得る事ができる。また、使用者が欲する色（所定点Ｆ）の周囲が詳細に見たい場合は使用者が所定領域２８を指定し、表示部２６上の拡大キー（図示せず）を押すと表示部上に拡大図２９が表示される。
【００３３】
次に、本発明の実施の形態４に係る表示装置３０に用いられる表示部３１に於ける、表示例を図１０と図１１に従い説明する。まず制御部９はサンプリングモードか否かを判定する（図１０のＳ１）。もしも使用者が表示部３１上のサンプリングＯＮキー３２を押せば、制御部９はＳ１を肯定する。
【００３４】
そして制御部９は、所定部分を入力か否かを判定する（Ｓ２）。即ち、制御部９は外部記憶部１４（画像データが格納されたＣＤ−ＲＯＭ等）から画像データを取得し、表示部３１の左側に画像（例えば風景画等）３３を表示させる。使用者は画像３３内の空の色が欲しくて、表示部３１上の色選択キー３４の先端を所定部分Ｇに合せ、マウスをクリックする。その結果、制御部９はＳ２を肯定する。
【００３５】
次に、制御部９は特定斜視図３５を表示させる（Ｓ３）。即ち、制御部９は表示部３１の右側に、色立体の断面を斜視した図（特定斜視図）３５を含む色立体の斜視図１８を表示させる。そして制御部９は、特定斜視図３５に於いて、所定部分Ｇに対応する色情報を持つ特定点Ｈを表示させる（Ｓ４）。
【００３６】
そして制御部９は、前記特定点Ｈが持つ色情報を指定し、前記色情報を特定するアドレスと共に、前記色情報を記憶部１１に記憶させる（Ｓ５）。使用者が表示部３１上のサンプリングＯＦＦキー３６を押せば、制御部９はサンプリングモード解除か否かを肯定し（Ｓ６）、動作を終了する。
【００３７】
この様に、表示部３１に表示された画像３３の所定部分Ｇに対応する色情報を持つ特定点Ｈを表示させる事により、使用者は自分が欲する色が特定斜視図３５に於ける、どの部分かが分かる。その結果、特定点Ｈで選択された色が自分が欲する色か否かを確認する事が出来る。
【００３８】
次に、本発明の実施の形態５に係る表示装置３７に用いられる表示部３８に於ける、表示例を図１２と図１３に従い説明する。記憶部１１は、第１色立体（例えばマンセル色立体）を構成する、色の色相と明度と彩度から成る色情報が複数個と、第２色立体（例えばオストワルト色立体）を構成する、色の色相と明度と彩度から成る色情報が複数個、記憶されている。これらの図に於いて、色立体切替キー３９は表示部３８上に表示され、入力部８を構成する。色立体切替キー３９は例えば、マンセルとオストワルトが各々、選択して入力できる様に構成されている。もしも、使用者により色立体切替キー３９が１側（例えばマンセル）に選択、入力されると（図１２参照）、制御部９は表示部３８に、明度を所定値とする第１色立体（例えばマンセル色立体）の断面を斜視した図（特定斜視図）４０を含む第１色立体の斜視図４１を表示させる。
【００３９】
また、使用者により色立体切替キー３９が他側（例えばオストワルト）に選択、入力されると（図１３参照）、制御部９は表示部３８に、明度を所定値とする第２色立体（例えばオストワルト色立体）の断面を斜視した図（特定斜視図４２）を含む第２色立体の斜視図４３を表示させる。
【００４０】
この様に、入力部８（色立体切替キー３９）が１側又は他側に入力されるのに応じ、明度を所定値とする第１色立体又は第２色立体の断面を斜視した図４０、４２が表示され、使用者は自分が好む色立体を容易に切替える事が出来る。
【００４１】
また、この様に、入力部８が切替えられ、第１色立体から第２色立体へ変更して入力されると、第１色立体の斜視図４０に於いて、使用者により選択された第１点Ｉ（図１２参照）は、第２色立体の斜視図４２に於いて、第１点Ｉに対応する第２点Ｊとして表示される（図１３参照）。即ち、第２点Ｊは第１点Ｉと同一の色情報（色相、明度、彩度）を持つ様に、制御部９は表示部３８をして、第２点Ｊの位置決めをさせる。
【００４２】
【発明の効果】
上述の様に請求項１の本発明では、色の色相と明度と彩度から成る色情報を複数個持つ色立体を記憶する記憶部と、入力部と、表示部と、制御部とを備え、入力部の明度キーの入力に応じて、制御部は表示部に、明度を所定値とする色立体の断面を斜視した図を含む色立体を表示させる。この様に、色立体の図と共に、断面斜視図を表示させるので、使用者は断面斜視図が、色立体のどの部分かを理解し易い。また、断面斜視図は断面図を斜視したものであるので、比較的面積が小さく、断面斜視図は色立体の図に占める部分は小さい。故に、断面斜視図を全体的に（色立体との関連を含めて）見る事が出来る。
【００４３】
請求項２の本発明では、入力部にて、斜視図の所定点が入力されると、制御部は、所定点に対応する色情報を指定する。この様に、断面斜視図の所定点が入力されると、制御部は所定点に対応する色情報を自動的に指定するので、従来の様に、試行錯誤で色を作成する必要がなく、操作に手間がかからない。
【００４４】
請求項３の本発明では、入力部に彩度キーを設け、彩度キーの入力に応じて、所定点の彩度が指定され、明度キーおよび彩度キーの入力位置に応じて、各々、明度および彩度が表示される。この様に、彩度キーの入力に応じて、所定点の彩度が指定されるので、入力操作が容易となる。また、明度キーにて明度を表示させ、彩度キーにて彩度を表示させる事により、明度および彩度を細かく、かつ正確に設定（入力）する事が出来る。
【００４５】
請求項４の本発明では、入力部に色相キーを設け、色相キーの入力に応じて、斜視図の色相の位置が指定される。この様に構成する事により、所定の色相に係る基準点を使用者が望む位置に設定できるので、使用者は、自分が最も使い易い断面斜視図を得る事が出来る。
【００４６】
請求項５の本発明では、色の色相と明度と彩度から成る色情報を複数個持つ色立体を記憶する記憶部と、入力部と、表示部と、制御部とを備え、入力部にて、表示部に表示された画像に於ける所点部分が入力されると、制御部は表示部に、色立体の断面を斜視した図を表示させ、該図に於いて、所点部分に対応する色情報を持つ特定点を表示させる。この様に、表示部に表示された画像の所定部分に対応する色情報を持つ特定点を表示させる事により、使用者は自分が欲する色が断面斜視図に於ける、どの部分かが分かる。その結果、特定点で選択された色が使用者が欲する色か否かを容易に確認する事が出来る。
【００４７】
請求項６の本発明では、色の色相と明度と彩度から成る色情報を各々、複数個持つ第１色立体および第２色立体を記憶する記憶部と、入力部と、表示部と、制御部とを備え、入力部が１側又は他側に入力されるのに応じて、制御部は表示部に各々、明度を所定値とする第１色立体又は第２色立体の断面を斜視した図を表示させる。この様に、入力部が１側又は他側に入力されるのに応じて、明度を所定値とする第１色立体又は第２色立体の断面を斜視した図が表示されるので、使用者は自分が好む色立体を容易に切替える事が出来る。
【００４８】
請求項７の本発明では、第１色立体から第２色立体へ変更して入力されると、第１色立体の斜視図に於いて選択された第１点が、第２色立体の斜視図に於いて第１点に対応する第２点として表示される。この様に、第１点と同一の色情報を持つ様に、制御部は表示部をして、第２点の位置決めをさせるので、第１色立体から第２色立体へ変更されても、所定値（第２点）は自動的に表示され、使い勝手が向上する。
【図面の簡単な説明】
【図１】色立体１の斜視図である。
【図２】上記色立体１の３要素を示す図面である。
【図３】本発明の実施の形態１に係る表示装置６のブロック図である。
【図４】上記表示装置６の主要な動作を示すフローチャートである。
【図５】上記表示装置６の表示例（明度５０）である。
【図６】上記表示装置６の表示例（明度３５）である。
【図７】上記表示装置６の表示例（明度８０）である。
【図８】本発明の実施の形態２に係る表示装置２０の表示例である。
【図９】本発明の実施の形態３に係る表示装置２５の表示例である。
【図１０】本発明の実施の形態４に係る表示装置３０の主要な動作を示すフローチャートである。
【図１１】上記表示装置３０の表示例である。
【図１２】本発明の実施の形態５に係る表示装置３７の表示例である（入力が１側に選択された時）。
【図１３】上記表示装置３７の表示例である（入力が他側に選択された時）。
【符号の説明】
７  表示部
８  入力部
９  制御部
１１  記憶部
【図１】
0003625687.tif 000002
【図２】
0003625687.tif 000003
【図３】
0003625687.tif 000004
【図４】
0003625687.tif 000005
【図５】
0003625687.tif 000006
【図６】
0003625687.tif 000007
【図７】
0003625687.tif 000008
【図８】
0003625687.tif 000009
【図９】
0003625687.tif 000010
【図１０】
0003625687.tif 000011
【図１１】
0003625687.tif 000012
【図１２】
0003625687.tif 000013
【図１３】
0003625687.tif 000014